(57)【要約】【課題】本発明は水晶展示棚を開示した。【解決手段】棚主体を含み、前記棚主体の中には作動チャンバが設置され、前記作動チャンバの中には駆動機構が設置され、前記駆動機構は前記作動チャンバの下端壁と回転できるように連結されている伝動軸を含み、前記伝動軸の上側には太軸が設置され、前記太軸の中には下方に開口した方形チャンバが設置され、前記伝動軸の上端は前記方形チャンバの中に位置しており、前記伝動軸の上端には上端が前記方形チャンバの上端壁と固定的に連結されている昇降バネが固定的に設置され、この装置は水晶を十分に展示でき、且つ定時に異なる水晶の位置を置換することができ、観賞者に快適な観賞体験を提供し、且つ観賞者がある水晶に興味を持っている時、あの水晶を鑑賞者の前で細やかに一定の時間に展示でき、観賞者にもっと多くのディテールを見せる。【選択図】図１
2020175127.tif 000002
【特許請求の範囲】
【請求項１】
棚主体を含み、前記棚主体の中には作動チャンバが設置され、前記作動チャンバの中には駆動機構が設置され、前記駆動機構は前記作動チャンバの下端壁と回転できるように連結されている伝動軸を含み、前記伝動軸の上側には太軸が設置され、前記太軸の中には下方に開口した方形チャンバが設置され、前記伝動軸の上端は前記方形チャンバの中に位置しており、前記伝動軸の上端には上端が前記方形チャンバの上端壁と固定的に連結されている昇降バネが固定的に設置され、前記太軸には楕円ブロックと、大傘歯車と、細ロッドとが固定的に設置され、前記大傘歯車は前記楕円ブロックの上側に位置しており、前記細ロッドは前記大傘歯車の上側に位置しており、前記作動チャンバの後端壁にはモーターが固定的に設置され、前記モーターの左端面には駆動軸が回転できるように設置され、前記駆動軸の左端には前記大傘歯車と噛み合って伝動されている小傘歯車が固定的に設置され、前記駆動機構を中心として切替機構が設置され、前記切替機構は均一に分布している六つの方形溝を含み、前記方形溝は前記作動チャンバの下端壁の中に位置しており、且つ上端壁が前記作動チャンバと連通され、左側の方形溝を例とし、左側の前記方形溝の前後端壁の間には短軸が左右対称的に回転できるように設置され、前記短軸には回転歯車と斜めロッドとが固定的に設置され、二つの前記回転歯車は噛み合って伝動され、前記斜めロッドの上端は前記作動チャンバの中に位置しており、前記作動チャンバの下端壁にはプーリ軸が左右対称的に回転できるように設置され、前記プーリ軸の上端にはベルトプーリが固定的に設置され、二つの前記ベルトプーリはベルトコンベアにより摩擦伝動を行い、前記ベルトコンベアの下端面には六つの伝送ロッドが均一に固定的に設置され、前記ベルトコンベアの中には前記ベルトコンベアの上下端面を貫通している六つの鉛直溝が均一に分布され、前記鉛直溝の中には前記鉛直溝を貫通している鉛直ロッドがスライドできるように設置され、前記鉛直ロッドの上端には展示台が固定的に設置され、前記鉛直ロッドの下端には横向きロッドが固定的に設置され、また、前記回転歯車が回転する時に前記斜めロッドを連動させて揺れさせ、これにより前記横向きロッドを推して上昇させることを特徴とする水晶展示棚。
【請求項２】
前記作動チャンバの外側にはリング溝が設置され、前記鉛直ロッドの前記太軸から離れている端面には横向きブロックが固定的に設置され、前記横向きブロックの中には横向き溝が設置され、前記横向き溝の中には前記鉛直ロッドから離れている一端が前記リング溝の中に位置しているＴ型ロッドがスライドできるように設置され、前記Ｔ型ロッドのうち前記鉛直ロッドから離れている一端には前記リング溝とスライドできるように連結されている弧形ブロックが固定的に設置され、そして、前記弧形ブロックが前記リング溝に沿って運動でき、運動する過程の中、前記Ｔ型ロッドが前記横向き溝の中で左右に運動していることを特徴とする請求項１に記載の水晶展示棚。
【請求項３】
前記リング溝の下端壁の中には左方に開口した六つの押し溝が均一に分布されており、前記押し溝と前記リング溝とが磁力溝により互いに連通され、前記磁力溝の中には鉄ブロックがスライドできるように設置され、前記押し溝の上端壁の右側には下方に開口した阻み溝が設置され、前記押し溝の中には推力ブロックがスライドできるように設置され、前記推力ブロックの中には上方に開口した圧力溝が設置され、前記圧力溝の下端面には電磁石と圧力バネとが固定的に設置され、前記圧力バネの上端には上端が前記押し溝の中に位置している圧力ブロックが固定的に設置され、前記圧力ブロックの下端面には磁石が固定的に設置され、前記推力ブロックの右端面には右端が前記押し溝の右端壁と固定的に連結されている横向きバネが固定的に設置され、前記推力ブロックの右端面の中心には右端が前記作動チャンバの中に位置している長ロッドが固定的に設置され、前記棚主体の下端面には台座が固定的に設置され、前記棚主体の上端にはガラス外殻が固定的に設置され、また、前記圧力バネは圧縮状態であり、前記圧力ブロックが前記阻み溝の位置まで運動する時、前記圧力バネが上方に復帰し、前記圧力ブロックを連動させて前記阻み溝の中に入らせることを特徴とする請求項１に記載の水晶展示棚。
【発明の詳細な説明】
【技術分野】
【０００１】
本発明は水晶技術分野を取り上げて、具体的には水晶展示棚である。
【背景技術】
【０００２】
水晶展示棚は水晶の外観を展示できる設備であり、水晶展示棚が観賞者を水晶から隔離させ、水晶に対して良好な展示効果を持っており、しかし、現在の水晶展示棚の内部の展示は主に固定展示であり、観賞者が多い場合、水晶を十分に展示することを保証できなく、入念な観賞が必要とされている水晶に対しては係員が水晶を取り出して展示する必要があり、展示効果は悪い。
【先行技術文献】
【特許文献】
【０００３】
【特許文献１】中国特許出願公開第１０９５４９４０２号明細書
【発明の概要】
【発明が解決しようとする課題】
【０００４】
本発明は水晶展示棚を提供し、上記背景技術において提出された問題を解決することを目的とする。
【課題を解決するための手段】
【０００５】
上記の目的を実現するために、本発明は以下の技術プランを提供する：水晶展示棚は、棚主体を含み、前記棚主体の中には作動チャンバが設置され、前記作動チャンバの中には駆動機構が設置され、前記駆動機構は前記作動チャンバの下端壁と回転できるように連結されている伝動軸を含み、前記伝動軸の上側には太軸が設置され、前記太軸の中には下方に開口した方形チャンバが設置され、前記伝動軸の上端は前記方形チャンバの中に位置しており、前記伝動軸の上端には上端が前記方形チャンバの上端壁と固定的に連結されている昇降バネが固定的に設置され、前記太軸には楕円ブロックと、大傘歯車と、細ロッドとが固定的に設置され、前記大傘歯車は前記楕円ブロックの上側に位置しており、前記細ロッドは前記大傘歯車の上側に位置しており、前記作動チャンバの後端壁にはモーターが固定的に設置され、前記モーターの左端面には駆動軸が回転できるように設置され、前記駆動軸の左端には前記大傘歯車と噛み合って伝動されている小傘歯車が固定的に設置され、前記駆動機構を中心として切替機構が設置され、前記切替機構は均一に分布している六つの方形溝を含み、前記方形溝は前記作動チャンバの下端壁の中に位置しており、且つ上端壁が前記作動チャンバと連通され、左側の方形溝を例とし、左側の前記方形溝の前後端壁の間には短軸が左右対称的に回転できるように設置され、前記短軸には回転歯車と斜めロッドとが固定的に設置され、二つの前記回転歯車は噛み合って伝動され、前記斜めロッドの上端は前記作動チャンバの中に位置しており、前記作動チャンバの下端壁にはプーリ軸が左右対称的に回転できるように設置され、前記プーリ軸の上端にはベルトプーリが固定的に設置され、二つの前記ベルトプーリはベルトコンベアにより摩擦伝動を行い、前記ベルトコンベアの下端面には六つの伝送ロッドが均一に固定的に設置され、前記ベルトコンベアの中には前記ベルトコンベアの上下端面を貫通している六つの鉛直溝が均一に分布され、前記鉛直溝の中には前記鉛直溝を貫通している鉛直ロッドがスライドできるように設置され、前記鉛直ロッドの上端には展示台が固定的に設置され、前記鉛直ロッドの下端には横向きロッドが固定的に設置され、また、前記回転歯車が回転する時に前記斜めロッドを連動させて揺れさせ、これにより前記横向きロッドを推して上昇させる。
【０００６】
有益的には、前記作動チャンバの外側にはリング溝が設置され、前記鉛直ロッドの前記太軸から離れている端面には横向きブロックが固定的に設置され、前記横向きブロックの中には横向き溝が設置され、前記横向き溝の中には前記鉛直ロッドから離れている一端が前記リング溝の中に位置しているＴ型ロッドがスライドできるように設置され、前記Ｔ型ロッドのうち前記鉛直ロッドから離れている一端には前記リング溝とスライドできるように連結されている弧形ブロックが固定的に設置され、そして、前記弧形ブロックが前記リング溝に沿って運動でき、運動する過程の中、前記Ｔ型ロッドが前記横向き溝の中で左右に運動している。
【０００７】
有益的には、前記リング溝の下端壁の中には左方に開口した六つの押し溝が均一に分布されており、前記押し溝と前記リング溝とが磁力溝により互いに連通され、前記磁力溝の中には鉄ブロックがスライドできるように設置され、前記押し溝の上端壁の右側には下方に開口した阻み溝が設置され、前記押し溝の中には推力ブロックがスライドできるように設置され、前記推力ブロックの中には上方に開口した圧力溝が設置され、前記圧力溝の下端面には電磁石と圧力バネとが固定的に設置され、前記圧力バネの上端には上端が前記押し溝の中に位置している圧力ブロックが固定的に設置され、前記圧力ブロックの下端面には磁石が固定的に設置され、前記推力ブロックの右端面には右端が前記押し溝の右端壁と固定的に連結されている横向きバネが固定的に設置され、前記推力ブロックの右端面の中心には右端が前記作動チャンバの中に位置している長ロッドが固定的に設置され、前記棚主体の下端面には台座が固定的に設置され、前記棚主体の上端にはガラス外殻が固定的に設置され、また、前記圧力バネは圧縮状態であり、前記圧力ブロックが前記阻み溝の位置まで運動する時、前記圧力バネが上方に復帰し、前記圧力ブロックを連動させて前記阻み溝の中に入らせる。
【発明の効果】
【０００８】
本発明の有益な効果は：この装置は水晶を十分に展示でき、且つ定時に異なる水晶の位置を置換することができ、観賞者に快適な観賞体験を提供し、且つ観賞者がある水晶に興味を持っている時、あの水晶を鑑賞者の前で細やかに一定の時間に展示でき、観賞者にもっと多くのディテールを見せる。
【図面の簡単な説明】
【０００９】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１０】
【図１】図１は本発明の水晶展示棚の全体構成模式図
【図２】図２は図１の「Ａ」の拡大構成模式図
【図３】図３は図１の「Ｂ−Ｂ」の拡大構成模式図
【図４】図４は図１の「Ｃ−Ｃ」の拡大構成模式図
【図５】図５は図１の「Ｄ−Ｄ」の拡大構成模式図
【図６】図６は楕円ブロックの構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜６を参照し、本発明の提供した実施例は水晶展示棚であり、棚主体１０を含み、 前記棚主体１０の中には作動チャンバ１１が設置され、前記作動チャンバ１１の中には駆動機構６１が設置され、前記駆動機構６１は前記作動チャンバ１１の下端壁と回転できるように連結されている伝動軸３１を含み、前記伝動軸３１の上側には太軸２２が設置され、前記太軸２２の中には下方に開口した方形チャンバ３０が設置され、前記伝動軸３１の上端は前記方形チャンバ３０の中に位置しており、前記伝動軸３１の上端には上端が前記方形チャンバ３０の上端壁と固定的に連結されている昇降バネ２１が固定的に設置され、前記太軸２２には楕円ブロック３２と、大傘歯車２０と、細ロッド２３とが固定的に設置され、前記大傘歯車２０は前記楕円ブロック３２の上側に位置しており、前記細ロッド２３は前記大傘歯車２０の上側に位置しており、前記作動チャンバ１１の後端壁にはモーター２７が固定的に設置され、前記モーター２７の左端面には駆動軸２８が回転できるように設置され、前記駆動軸２８の左端には前記大傘歯車２０と噛み合って伝動されている小傘歯車２９が固定的に設置され、前記駆動機構６１を中心として切替機構６０が設置され、前記切替機構６０は均一に分布している六つの方形溝３７を含み、前記方形溝３７は前記作動チャンバ１１の下端壁の中に位置しており、且つ上端壁が前記作動チャンバ１１と連通され、左側の方形溝３７を例とし、左側の前記方形溝３７の前後端壁の間には短軸３６が左右対称的に回転できるように設置され、前記短軸３６には回転歯車３４と斜めロッド３８とが固定的に設置され、二つの前記回転歯車３４は噛み合って伝動され、前記斜めロッド３８の上端は前記作動チャンバ１１の中に位置しており、前記作動チャンバ１１の下端壁にはプーリ軸３３が左右対称的に回転できるように設置され、前記プーリ軸３３の上端にはベルトプーリ１８が固定的に設置され、二つの前記ベルトプーリ１８はベルトコンベア５４により摩擦伝動を行い、前記ベルトコンベア５４の下端面には六つの伝送ロッド１２が均一に固定的に設置され、前記ベルトコンベア５４の中には前記ベルトコンベア５４の上下端面を貫通している六つの鉛直溝１７が均一に分布され、前記鉛直溝１７の中には前記鉛直溝１７を貫通している鉛直ロッド１６がスライドできるように設置され、前記鉛直ロッド１６の上端には展示台１５が固定的に設置され、前記鉛直ロッド１６の下端には横向きロッド３５が固定的に設置され、また、前記回転歯車３４が回転する時に前記斜めロッド３８を連動させて揺れさせ、これにより前記横向きロッド３５を推して上昇させる。
【００１３】
有益的には、前記作動チャンバ１１の外側にはリング溝１９が設置され、前記鉛直ロッド１６の前記太軸２２から離れている端面には横向きブロック２６が固定的に設置され、前記横向きブロック２６の中には横向き溝２４が設置され、前記横向き溝２４の中には前記鉛直ロッド１６から離れている一端が前記リング溝１９の中に位置しているＴ型ロッド２５がスライドできるように設置され、前記Ｔ型ロッド２５のうち前記鉛直ロッド１６から離れている一端には前記リング溝１９とスライドできるように連結されている弧形ブロック４９が固定的に設置され、そして、前記弧形ブロック４９が前記リング溝１９に沿って運動でき、運動する過程の中、前記Ｔ型ロッド２５が前記横向き溝２４の中で左右に運動している。
【００１４】
有益的には、前記リング溝１９の下端壁の中には左方に開口した六つの押し溝５２が均一に分布されており、前記押し溝５２と前記リング溝１９とが磁力溝４６により互いに連通され、前記磁力溝４６の中には鉄ブロック４７がスライドできるように設置され、前記押し溝５２の上端壁の右側には下方に開口した阻み溝５０が設置され、前記押し溝５２の中には推力ブロック４０がスライドできるように設置され、前記推力ブロック４０の中には上方に開口した圧力溝４４が設置され、前記圧力溝４４の下端面には電磁石４１と圧力バネ４２とが固定的に設置され、前記圧力バネ４２の上端には上端が前記押し溝５２の中に位置している圧力ブロック４５が固定的に設置され、前記圧力ブロック４５の下端面には磁石４３が固定的に設置され、前記推力ブロック４０の右端面には右端が前記押し溝５２の右端壁と固定的に連結されている横向きバネ５３が固定的に設置され、前記推力ブロック４０の右端面の中心には右端が前記作動チャンバ１１の中に位置している長ロッド５１が固定的に設置され、前記棚主体１０の下端面には台座３９が固定的に設置され、前記棚主体１０の上端にはガラス外殻１３が固定的に設置され、また、前記圧力バネ４２は圧縮状態であり、前記圧力ブロック４５が前記阻み溝５０の位置まで運動する時、前記圧力バネ４２が上方に復帰し、前記圧力ブロック４５を連動させて前記阻み溝５０の中に入らせる。
【００１５】
以下、出願人は付図１〜６及び上記の本出願の水晶展示棚の具体的な構成を参照して本出願の水晶展示棚の使用方法を詳しく紹介する：
【００１６】
展示する水晶を展示台１５の中に入れ、モーター２７を始動し、小傘歯車２９を連動させて回転させ、小傘歯車２９と大傘歯車２０との噛み合って伝動することにより、細ロッド２３を連動させて回転させ、細ロッド２３が伝送ロッド１２を推し動かし、これによりベルトコンベア  ５４が次のベルトコンベア  ５４のところに運動した後しばらく停止して展示を行う。
【００１７】
もし観賞者がある水晶を入念に観賞したがるなら、推力ブロック４０を推し動かし、もし水晶がまだ運動していると、鉄ブロック４７が自身の重力の作用のもとで押し溝５２の中まで運動して推力ブロック４０を阻み、水晶が停止するまで観賞者は推力ブロック４０を推し動かすことができなく、弧形ブロック４９が鉄ブロック４７を引きつけ、推力ブロック４０を推し動かし、圧力バネ４２の復帰作用の下で、圧力ブロック４５が阻み溝５０の中に入って動かなくなり、長ロッド５１が斜めロッド３８を推し動かして回転させ、回転歯車３４の間の噛み合って伝動することにより、もうひとつの斜めロッド３８を連動させて回転させ、楕円ブロック３２を推し動かして上昇させ、これにより大傘歯車２０を連動させて上昇させて小傘歯車２９との噛み合いから離れさせ、細ロッド２３は回転を停止し、水晶は運動を停止し、斜めロッド３８は回転して横向きロッド３５を連動させて上昇させ、これにより対応している展示台１５を連動させて上昇させ、これにより水晶は観賞者にもっと近くなり、設定時間になると、電磁石４１が通電して磁石４３を引きつけ、圧力ブロック４５を連動させて阻み溝５０から離れさせ、横向きバネ５３が復帰し、装置を連動させて復帰させ、水晶を運動し続けさせる。
【００１８】
本発明の有益な効果は：この装置は水晶を十分に展示でき、且つ定時に異なる水晶の位置を置換することができ、観賞者に快適な観賞体験を提供し、且つ観賞者がある水晶に興味を持っている時、あの水晶を鑑賞者の前で細やかに一定の時間に展示でき、観賞者にもっと多くのディテールを見せる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175127.tif 000003
【図２】
2020175127.tif 000004
【図３】
2020175127.tif 000005
【図４】
2020175127.tif 000006
【図５】
2020175127.tif 000007
【図６】
2020175127.tif 000008